(57)【要約】【課題】設定状態を容易に且つ確実に確認することができるトグルスイッチを提供する。【解決手段】トグルスイッチ１は、第１の範囲を回転軸７周りに回転し、固定接点と可動接点の接触状態を変更する第１のレバー４と、第１の範囲の一部である第２の範囲を回転軸７周りに回転する第２のレバー５と、一端を第１のレバー４に、他端を第２のレバー５に固定したシート部材６と、を含んでいる。第１のレバー４は、第２の範囲では第２のレバー５と一体となって回転する。第１のレバー４は、第２の範囲以外では第２のレバー５を分離して単独で回転する。【選択図】図１
2012195236.tif 000002
【特許請求の範囲】
【請求項１】
固定接点と可動接点を含むスイッチ本体と、
第１の範囲を回転軸周りに回転し、前記固定接点と前記可動接点の接触状態を変更する第１のレバーと、
前記第１の範囲の一部である第２の範囲を前記回転軸周りに回転する第２のレバーと、
一端を前記第１のレバーに、他端を前記第２のレバーに固定した第１のシート部材と、を含み、
前記第１のレバーは、前記第２の範囲を前記第２のレバーと一体となって回転する
ことを特徴とするトグルスイッチ。
【請求項２】
請求項１に記載のトグルスイッチにおいて、
前記第２のレバー及び前記第１のシート部材は、前記第２の範囲で前記第１のレバーに収納される
ことを特徴とするトグルスイッチ。
【請求項３】
請求項１または請求項２に記載のトグルスイッチにおいて、さらに、
前記第１の範囲のうち前記第２の範囲を除く第３の範囲を、前記回転軸周りに回転する第３のレバーと、
一端を前記第１のレバーに、他端を前記第３のレバーに固定した第２のシート部材と、を含み、
前記第１のレバーは、前記第３の範囲を前記第３のレバーと一体となって回転する
ことを特徴とするトグルスイッチ。
【請求項４】
請求項３に記載のトグルスイッチにおいて、
前記第３のレバー及び前記第２のシート部材は、前記第３の範囲で前記第１のレバーに収納される
ことを特徴とするトグルスイッチ。
【請求項５】
固定接点と可動接点を含むスイッチ本体と、
第１の範囲を回転軸周りに回転し、前記固定接点と前記可動接点が接触する第１の状態と前記固定接点と前記可動接点が接触しない第２の状態とを切り替える第１のレバーと、
前記スイッチ本体に固定された第２のレバーと、
一端を前記第１のレバーに、他端を前記第２のレバーに固定したシート部材と、を含み、
前記第１のレバーは、前記第１の状態または前記第２の状態で、前記第２のレバーと一体化する
ことを特徴とするトグルスイッチ。
【請求項６】
請求項５に記載のトグルスイッチにおいて、
前記第２のレバー及び前記シート部材は、前記第１の状態または前記第２の状態で、前記第１のレバーに収納される
ことを特徴とするトグルスイッチ。
【発明の詳細な説明】
【技術分野】
【０００１】
本発明は、トグルスイッチに関する。
【背景技術】
【０００２】
現在、多くの種類のスイッチが実用化されているが、その種類の一つにトグルスイッチがある。トグルスイッチは、スイッチ本体に取り付けられたレバー部を傾けることによりスイッチのＯＮ／ＯＦＦを切り替えるスイッチであり、さまざまな用途で広く利用されている。
【０００３】
図１４Ａから図１４Ｃは、従来技術に係るトグルスイッチの断面図である。図１４Ａから図１４Ｃに示されるトグルスイッチ１００は、いわゆるシーソー式のトグルスイッチである。トグルスイッチ１００のレバー部１０６を回転軸１０７周りに回転させて傾けると、スイッチ本体１０１内部で受台１０２を中心にバランスを取っている可動接片１０３にレバー部１０６の先端が接触する。この接触により可動接片１０３が傾くことで可動接片１０３に設けられた可動接点１０４が固定接点１０５に接触し、これにより、スイッチの端子間が導通することになる。
【０００４】
図１４Ａは、端子１０８ｂと端子１０８ｃが導通したＯＮ状態を、図１４Ｂは、いずれの端子も導通していないＯＦＦ状態を、図１４Ｃは、端子１０８ａと端子１０８ｂが導通したＯＮ状態を示している。
【０００５】
トグルスイッチの設定状態は、通常、図１４Ａから図１４Ｃに示されるように、レバー部がどちらに傾いているかによって把握される。
なお、例えば、特許文献１に開示されるように、レバー部に設けられた発光ダイオードの点灯によって、トグルスイッチの設定状態が把握されるものも開発されている。
【先行技術文献】
【特許文献】
【０００６】
【特許文献１】実開平１−１０６０４１号公報
【発明の概要】
【発明が解決しようとする課題】
【０００７】
トグルスイッチは、現在、４ｃｍから６ｃｍ程度と小型のものが非常に多く普及している。このような小型のトグルスイッチでは、レバー部も当然に短いものとなるため、トグルスイッチの設定状態の誤認が生じやすいといった技術的な課題が指摘されている。設定状態の誤認を防止して、設定状態を目視により確実に把握するためには、トグルスイッチの極近くからトグルスイッチを確認する必要がある。
【０００８】
しかしながら、トグルスイッチは、さまざまな用途で利用されているため、鉄道向けの表示盤など高所に設置されるものに利用される場合も多々ある。そのような場合には、トグルスイッチの極近くからトグルスイッチを確認する作業は、作業者にとって非常に負担の大きなものとなる。
【０００９】
このような実情から、トグルスイッチの設定状態を容易に且つ確実に確認することができるトグルスイッチが望まれている。なお、特許文献１に開示されるトグルスイッチは、発光ダイオードを用いることで設定状態の把握を容易にしているが、コストや故障率を踏まえ、機械的な構造により設定状態を容易に且つ確実に確認することができるトグルスイッチが望まれている。
【００１０】
以上のような実情を踏まえて、本発明では、設定状態を容易に且つ確実に確認することができるトグルスイッチを提供することを目的とする。
【課題を解決するための手段】
【００１１】
本発明の一態様は、固定接点と可動接点を含むスイッチ本体と、第１の範囲を回転軸周りに回転し、前記固定接点と前記可動接点の接触状態を変更する第１のレバーと、前記第１の範囲の一部である第２の範囲を前記回転軸周りに回転する第２のレバーと、一端を前記第１のレバーに、他端を前記第２のレバーに固定した第１のシート部材と、を含み、前記第１のレバーは、前記第２の範囲を前記第２のレバーと一体となって回転するトグルスイッチを提供する。
【００１２】
本発明の別の一態様は、固定接点と可動接点を含むスイッチ本体と、第１の範囲を回転軸周りに回転し、前記固定接点と前記可動接点が接触する第１の状態と前記固定接点と前記可動接点が接触しない第２の状態とを切り替える第１のレバーと、前記スイッチ本体に固定された第２のレバーと、一端を前記第１のレバーに、他端を前記第２のレバーに固定したシート部材と、を含み、前記第１のレバーは、前記第１の状態または前記第２の状態で、前記第２のレバーと一体化するトグルスイッチを提供する。
【発明の効果】
【００１３】
本発明によれば、設定状態を容易に且つ確実に確認することができるトグルスイッチを提供することができる。
【図面の簡単な説明】
【００１４】
【図１】本発明の一実施例に係るトグルスイッチの基本構成を示した模式図である。
【図２】図１（ａ）に示される設定状態におけるトグルスイッチのレバー部の上面模式図である。
【図３】図１（ｂ）に示される設定状態におけるトグルスイッチのレバー部の上面模式図である。
【図４Ａ】第１の設定状態における実施例１に係るトグルスイッチの断面図である。
【図４Ｂ】第２の設定状態における実施例１に係るトグルスイッチの断面図である。
【図４Ｃ】第３の設定状態における実施例１に係るトグルスイッチの断面図である。
【図５】実施例１に係るトグルスイッチの第１のレバーの斜視図である。
【図６】実施例１に係るトグルスイッチの第２のレバーの斜視図である。
【図７Ａ】第２のレバーが第１のレバーに収納された状態での実施例１に係るトグルスイッチのレバー部の斜視図である。
【図７Ｂ】第１のレバーと第２のレバーが分離した状態での実施例１に係るトグルスイッチのレバー部の斜視図である。
【図８】実施例１に係るトグルスイッチのレバー部でのシート部材の収納方法について説明するための図である。
【図９】実施例１に係るトグルスイッチのレバー部の変形例でのシート部材の収納方法について説明するための図である。
【図１０Ａ】第１の設定状態における実施例２に係るトグルスイッチの断面図である。
【図１０Ｂ】第２の設定状態における実施例２に係るトグルスイッチの断面図である。
【図１１Ａ】第１の設定状態における実施例３に係るトグルスイッチの断面図である。
【図１１Ｂ】第２の設定状態における実施例３に係るトグルスイッチの断面図である。
【図１１Ｃ】第３の設定状態における実施例３に係るトグルスイッチの断面図である。
【図１２】実施例３に係るトグルスイッチのレバー部の斜視図である。
【図１３Ａ】実施例３に係るトグルスイッチのレバー部の上面図である。
【図１３Ｂ】実施例３に係るトグルスイッチのレバー部の断面図である。
【図１３Ｃ】実施例３に係るトグルスイッチのレバー部の断面図である
【図１４Ａ】ある設定状態における従来技術に係るトグルスイッチの断面図である。
【図１４Ｂ】他の設定状態における従来技術に係るトグルスイッチの断面図である。
【図１４Ｃ】さらに他の設定状態における従来技術に係るトグルスイッチの断面図である。
【発明を実施するための形態】
【００１５】
まず、各実施例について説明する前に、図１から図３を参照しながら、本発明の一実施例に係るトグルスイッチについて概説する。
図１は、本発明の一実施例に係るトグルスイッチの基本構成を示した模式図である。図２は、図１（ａ）に示される設定状態におけるトグルスイッチのレバー部の上面模式図である。図３は、図１（ｂ）に示される設定状態におけるトグルスイッチのレバー部の上面模式図である。なお、図１から図３に示されるトグルスイッチは、後述する各実施例に係るトグルスイッチの特徴の理解を容易にするために模式的に示されたものである。
【００１６】
図１に示されるトグルスイッチ１は、スイッチ本体２と、レバー部３と、端子８とを含む、シーソー式のトグルスイッチである。スイッチ本体２は、図示しないが、その内部に、可動接点を備えた可動接片と、固定接点と、を含んでいる。レバー部３は、回転軸７周りに回転して固定接点と可動接点との接触状態を変更する第１のレバー４と、第１のレバー４と同一の回転軸７周りに回転する第２のレバー５と、一端を第１のレバー４に、他端を第２のレバー５に固定したシート部材６と、を含んでいる。
【００１７】
第１のレバー４は、第２のレバー５及びシート部材６を収納し得るように構成されている。シート部材６は、第１のレバー４と第２のレバー５の間の距離に応じて、折り畳み自在、巻き取り自在、又は、伸縮自在に構成されている。シート部材６は、第２のレバー５が第１のレバー４に収納されているときに、第１のレバー４に収納される。
【００１８】
トグルスイッチ１は、設定状態として、図１（ａ）に示される第１のレバー４を基準平面Ｓに対して＋３０度傾けた第１の設定状態と、図１（ｂ）に示される第１のレバー４を基準平面Ｓに対して−３０度傾けた第２の設定状態と、有している。
ここで、基準平面Ｓは、スイッチ本体２の上面２ａに対して略垂直で、回転軸７を通る延長方向（回転軸７の長手方向）に平行な面である。また、レバー５の傾きを角度で表わしているが、基準面Ｓを０度の位置とし、回転軸７の回転方向にレバー５を回転させて、図中で、反時計廻りの方向を＋（プラス）角度、例えば＋３０°、時計廻りの方向を−（マイナス）角度、例えば−３０°で表わしている。
【００１９】
第１のレバー４は、トグルスイッチ１の設定状態を切替えるために、回転軸７周りに基準平面Ｓに対して−３０度から＋３０度までの範囲を回転することができる。一方、第２のレバー５は、回転軸７周りに基準平面Ｓに対して０度から＋３０度までの範囲、つまり、第１のレバー４が回転し得る範囲の一部の範囲を回転することができる。
【００２０】
このような第１のレバー４と第２のレバー５の回転範囲の違いにより、第１のレバー４は、第２のレバー５が回転することができる０度から３０度までの範囲では、第２のレバー５を収納した状態で第２のレバー５と一体となって回転するのに対して、第２のレバー５が回転することができない０度から−３０度までの範囲では、第２のレバー５を分離して第１のレバー４単体で回転する。
【００２１】
従って、トグルスイッチ１が図１（ａ）に示される第１の設定状態にあるときには、図２に例示されるように、第１のレバー４と第２のレバー５は一体化している。このため、第１の設定状態では、シート部材６が外部から視認されることはない。
【００２２】
これに対して、トグルスイッチ１が図１（ｂ）に示される第２の設定状態にあるときには、図３に例示されるように、第１のレバー４と第２のレバー５が分離していて、その間でシート部材６が広がっている。このため、第２の設定状態では、シート部材６が視認される状態にあり、トグルスイッチ１の外観が、第１の設定状態とは大きく異なっている。
【００２３】
その結果、トグルスイッチ１では、図１（ａ）及び図１（ｂ）に示されるように、その設定状態をシート部材６が視認できるか否かによって判断することが可能であり、設定状態を容易に且つ確実に確認することができる。
【００２４】
以下、本発明の各実施例について具体的に説明する。
【実施例１】
【００２５】
図４Ａから図４Ｃは、本実施例に係るトグルスイッチの断面図である。図４Ａから図４Ｃに例示されるトグルスイッチ１０は、スイッチ本体１１と、レバー部１６と、スイッチ外部と接続される端子（端子２２ａ、端子２２ｂ、端子２２ｃ）を含むシーソー式の３定位トグルスイッチである。図４Ａ、図４Ｂ、図４Ｃは、それぞれ、異なる定位、つまり、異なる設定状態でのトグルスイッチ１０を示した図である。なお、本実施例では、図４Ａ、図４Ｂ、図４Ｃの設定状態を、それぞれ、第１の設定状態、第２の設定状態、第３の設定状態と記す。また、本実施例では、基準平面Ｓは、スイッチ本体１１の上面１１ａに対して略垂直で、且つ、回転軸２０と平行な面である。また、本実施例では、レバーの傾きは、基準面Ｓを基準として、反時計廻りの方向をプラス、時計廻りの方向をマイナスとして定義する。
【００２６】
スイッチ本体１１は、受台１２を中心にバランスを取る可動接片１３と、可動接片１３に設けられた可動接点１４と、固定接点１５と、溝部２１と、を含んでいる。
レバー部１６は、基準平面Ｓに対して−３０度から＋３０度までの範囲（以降、本実施例において、第１の範囲と記す。）を回転軸２０周りに回転して固定接点１５と可動接点１４との接触状態を変更する第１のレバー１７と、基準平面Ｓに対して−３０度から０度までの範囲（以降、本実施例において、第２の範囲と記す。）、つまり、第１のレバー１７が回転し得る範囲の一部の範囲を回転軸２０周りに回転する第２のレバー１８と、一端を第１のレバー１７に他端を第２のレバー１８に固定した折り畳み式のシート部材１９と、を含んでいる。なお、第１のレバー１７は、後述するように、第２のレバー１８及びシート部材１９を収納できるように構成されている。
【００２７】
第２のレバー１８は、第１のレバー１７に比べて回転範囲が制限されているが、このような制限は、第２のレバー１８に設けられた突起部１８ａと、スイッチ本体１１に形成された溝部２１とによって実現されている。より具体的には、溝部２１を、第２のレバー１８が第２の範囲を回転する間に突起部１８ａが移動する領域に形成し、第２のレバー１８が第２の範囲を超えて回転する場合に突起部１８ａが移動することになる領域には形成しないことで、第２のレバー１８の回転が制限されている。
【００２８】
第１のレバー１７は、第２のレバー１８と回転範囲が重複する第２の範囲では、第２のレバー１８及びシート部材１９を収納した状態で第２のレバー１８と一体となって回転する。このため、図４Ｂ及び図４Ｃに例示されるように、第２の設定状態及び第３の設定状態では、シート部材１９は、外部からは視認されない。
【００２９】
一方で、第２の範囲以外では、第１のレバー１７は、第２のレバー１８と分離して単独で回転する。このため、図４Ａに例示されるように、第１の設定状態では、シート部材１９は、第１のレバー１７と第２のレバー１８の間で広がった状態となり、外部から容易に視認されることになる。
【００３０】
次に、本実施例に係るトグルスイッチ１０のレバー部１６の構成について、詳細に説明する。
図５は、本実施例に係るトグルスイッチの第１のレバーの斜視図である。図６は、本実施例に係るトグルスイッチの第２のレバーの斜視図である。図７Ａ及び図７Ｂは、本実施例に係るトグルスイッチのレバー部の斜視図である。なお、図５から図７Ｂは、第１のレバー１７と第２のレバー１８の関係を説明することを主要な目的とする図である。このため、図５から図７Ｂでは、第１のレバー１７と第２のレバー１８の関係の理解を容易にするため、後に参照する図８と異なり、シート部１９に関連する構成の記載が省略されている。
【００３１】
図５に例示されるように、第１のレバー１７には、第２のレバー１８を収納するためのレバー収納部１７ｅと、第２のレバー１８を収納したときに突起部１８ａが収まるスリット１７ａと、回転軸２０を通すための軸穴１７ｃと、が形成されている。また、第１のレバー１７は、一方の端部に、スイッチ本体１１内で可動接片１３と接触する先端部１７ｄを有している。さらに、第１のレバー１７は、先端部１７ｄと反対に位置する端部近傍に、第２のレバー１８をレバー収納部１７ｅ内に保持するための、レバー収納部１７ｅに突出した留め部材１７ｂを有している。
【００３２】
図６に例示されるように、第２のレバー１８には、回転軸２０を通すための軸穴１８ｃが形成されている。また、第２のレバー１８は、図４Ａから図４Ｃに例示される溝部２１に収まり、且つ、第１のレバー１７に収納されたときにスリット１７ａに収まる突起部１８ａを有している。さらに、第２のレバー１８は、第１のレバー１７に収納されたときに留め部材１７ｂが嵌まる留め溝１８ｂを有している。尚、図６では、突起部１８ａを２つあるが、１つでもよい。
【００３３】
第２のレバー１８が第１のレバー１７に収納された状態では、図７Ａに例示されるように、突起部１８ａは、先端が第１のレバー１７からはみ出した状態でスリット１７ａに収まり、留め部材１７ｂは、留め溝１８ｂに嵌まっている。
【００３４】
また、図５に例示されるように、軸穴１７ｃを中心として、第１のレバー１７の留め部材１７ｂ側では、凹型形状をした断面が形成され、第１のレバー１７のスリット１７ａ側では、留め部材１７ｂ側の断面と比較して上下が反転した、逆凹面形状をした断面が形成されている。これにより、レバー収納部１７ｅが形成されている。このため、第２のレバー１８は、図７Ｂに例示されるように、一定の回転方向（図７Ｂの矢印の方向）にのみ、第１のレバー１７に対して相対的な回転が可能であり、反対の回転方向には、第１のレバー１７と一体となって回転する。
【００３５】
次に、本実施例に係るトグルスイッチ１０のレバー部１６におけるシート部材１９の収納方法について、詳細に説明する。
図８は、本実施例に係るトグルスイッチのレバー部でのシート部材の収納方法について説明するための図である。図８（ａ）は、トグルスイッチ１０のレバー部１６の側面図である。図８（ｂ）は、図８（ａ）に示されるＡＡ´断面における、トグルスイッチ１０のレバー部１６の断面図である。図８（ｃ）及び図８（ｄ）は、図８（ａ）に示されるＢＢ´断面における、トグルスイッチ１０のレバー部１６の断面図であり、それぞれ、第２のレバー１８が第１のレバー１７に収納された状態、第１のレバー１７と第２のレバー１８が分離した状態を示している。
【００３６】
図８（ａ）、図８（ｃ）、及び図８（ｄ）に示されるように、第１のレバー１７には、レバー収納部１７ｅの底部にシート部材１９を収納するためのシート収納部１７ｆが形成されている。また、第１のレバー１７及び第２のレバー１８は、それぞれ、シート部材１９の一端、他端を固定するシート留め具１７ｇ、シート留め具１８ｇを有している。
【００３７】
このような構成により、第２のレバー１８が第１のレバー１７に収納されているときには、シート部材１９は、図８（ｃ）に例示されるように、シート収納部１７ｆに折り畳まれて収納される。また、第２のレバー１８と第１のレバー１７が分離しているときには、シート部材１９は、図８（ａ）及び図８（ｄ）に例示されるように、第１のレバー１７と第２のレバー１８の間で扇状に広がることになる。
【００３８】
なお、シート収納部１７ｆは、シート部材１９が収納できる大きさを有していればよく、レバー収納部１７ｅの底部の一部分にのみ形成されてもよい。このため、例えば、図８（ｂ）に例示されるように、留め部材１７ｂが設けられた第１のレバー１７の端部近傍には、シート収納部１７ｆが形成されていなくてもよい。
【００３９】
図９は、本実施例に係るトグルスイッチのレバー部の変形例でのシート部材の収納方法について説明するための図である。図９に例示されるレバー部２３は、第１のレバー１７の代わりに第１のレバー２４が、シート部材１９の代わりにシート部材２５を含む点が、図８に例示されるレバー部１６と異なっている。図９（ａ）は、レバー部２３の側面図である。図９（ｂ）は、図９（ａ）に示されるＣＣ´断面における、レバー部２３の断面図である。図９（ｃ）及び図９（ｄ）は、図９（ａ）に示されるＤＤ´断面における、レバー部２３の断面図であり、それぞれ、第２のレバー１８が第１のレバー２４に収納された状態、第１のレバー２４と第２のレバー１８が分離した状態を示している。図９（ｅ）は、図９（ａ）に示されるＥＥ´断面における、レバー部２３の断面図である。
【００４０】
図９（ａ）、図９（ｃ）、及び図９（ｄ）に示されるように、第１のレバー２４には、レバー収納部２４ｅの底部にシート部材２５を収納するためのシート収納部２４ｆが形成されている。また、第１のレバー２４は、軸２４ｈ周りに回転するシート巻取部材２４ｋと、シート巻取部材２４ｋの回転に対して抗力を生じさせるバネ２４ｍと、シート部材２５の一端を固定するためにシート巻取部材２４ｋに設けられたシート留め具２４ｇと、を有している。
【００４１】
このような構成により、第２のレバー１８が第１のレバー２４に収納されているときには、シート部材２５は、図９（ｃ）に例示されるように、シート収納部２４ｆ内でシート巻取部材２４ｋに巻き取られた状態で収納される。また、第２のレバー１８と第１のレバー２４が分離しているときには、シート部材２５は、図９（ａ）及び図９（ｄ）に例示されるように、第１のレバー２４と第２のレバー１８の間に扇状に広がることになる。
【００４２】
レバー部２３によれば、バネ２４ｍにより生じる抗力により、図８に例示されるレバー部１６に比べて、容易に且つ確実に第１のレバー２４にシート部材２５を収納することができる。また、シート部材を折り畳む場合に比べて無駄な空間が生じにくいため、第１のレバー２４内の空間を効率的に利用することができる。
【００４３】
なお、シート収納部２４ｆは、シート部材２５が収納できる大きさを有していればよいため、例えば、図９（ｂ）及び図９（ｅ）に例示されるように、留め部材２４ｂが設けられた第１のレバー２４の端部近傍や、バネ２４ｍが設けられた回転軸２０近傍には、シート収納部２４ｆが形成されていなくてもよい。
【００４４】
以上、本実施例に係るトグルスイッチ１０によれば、回転範囲の異なる第１のレバーと第２のレバーの間にシート部材を設けることで、その設定状態をシート部材が視認できるか否かによって判断することが可能である。このため、設定状態を容易に且つ確実に確認することができる。
【００４５】
このようなトグルスイッチの設定状態に関する視認性の向上によって得られる副次的な効果としては、例えば、トグルスイッチを高所に設定されている鉄道向けの表示盤に利用している場合を例にすると、ホーム上からトグルスイッチの設定状態を確認することができるため、脚立等の使用が不要となり、作業時間の短縮を図ることができる、といった効果が得られる。
【００４６】
本実施例では、第１のレバー１７が第２のレバー１８とシート部材１９を収納する例を示したが、本発明の構成は、特にこの構成に限定されるものではない。第１のレバー１７と第２のレバー１８の一方の回転範囲が他方の回転範囲を包含することで、一体となって回転しシート部材１９が視認できない範囲と、分離して回転しシート部材１９が視認できる範囲と、が生じればよい。このため、第２のレバー１８が第１のレバー１７とシート部材１９を収納してもよい。ただし、トグルスイッチ１０の設定状態が、第２のレバー１８ではなく第１のレバー１７の回転により切り替わることを考慮すると、操作性の観点から見て、第１のレバー１７が第２のレバー１８とシート部材１９を収納する構成がより望ましい。
【００４７】
また、本実施例では、第１のレバー１７が−３０度から＋３０度まで、第２のレバー１８が−３０度から０度まで、回転可能な構成を例示したが、本発明の構成は、特にこの構成に限定されるものではない。例えば、第１のレバー１７が−４５度から＋４５度まで、第２のレバー１８が−４５度から０度まで回転してもよい。また、第２のレバー１８は、０度から３０度まで、又は、０度から４５度まで回転してもよい。
【００４８】
また、本実施例では、いわゆるシーソー式のトグルスイッチ１０を例示したが、本発明の構成は、特にこの構成に限定されるものではない。トグルスイッチは、例えば、スライド式など他の方式として、構成されてもよい。
【００４９】
また、本実施例では、スイッチ本体１１に形成された溝部２１と、第２のレバー１８に設けられた突起部１８ａによって、第２のレバー１８の回転範囲を制限する構成を例示したが、本発明の構成は、特にこの構成に限定されるものではない。第１のレバー１７と第２のレバー１８の回転範囲を異ならせることができれば、任意の方法を適用することができる。
【実施例２】
【００５０】
本実施例に係るトグルスイッチは、２定位トグルスイッチである。
図１０Ａ及び図１０Ｂは、本実施例に係るトグルスイッチの断面図である。図１０Ａ及び図１０Ｂに例示されるトグルスイッチ３０は、スイッチ本体３１と、レバー部３６と、スイッチ外部と接続される端子（端子４２ａ、端子４２ｂ）を含んでいる。図１０Ａ、図１０Ｂは、それぞれ、異なる定位、つまり、異なる設定状態でのトグルスイッチ３０を示した図である。なお、本実施例では、図１０Ａ、図１０Ｂの設定状態を、それぞれ、第１の設定状態、第２の設定状態と記す。また、本実施例では、基準平面Ｓは、スイッチ本体３１の上面３１ａに対して略垂直で、且つ、回転軸４０と平行な面である。また、本実施例では、レバーの傾きは、基準面Ｓを基準として、反時計廻りの方向をプラス、時計廻りの方向をマイナスとして定義する。
【００５１】
スイッチ本体３１は、受台３２を支点とする片持ち梁である可動接片３３と、可動接片３３に設けられた可動接点３４、固定接点３５と、を含んでいる。
レバー部３６は、基準平面Ｓに対して−３０度から＋３０度までの範囲（以降、本実施例において、第１の範囲と記す。）を回転軸４０周りに回転して固定接点３５と可動接点３４との接触状態を変更する第１のレバー３７と、基準平面Ｓに対して−３０度の角度でスイッチ本体３１に固定された第２のレバー３８と、一端を第１のレバー３７に他端を第２のレバー３８に固定した折り畳み式のシート部材３９と、を含んでいる。
【００５２】
本実施例に係るトグルスイッチ３０のレバー部３６は、第２のレバー３８がスイッチ本体３１に固定されている点が、実施例１に係るトグルスイッチ１０のレバー部１６と異なっている。つまり、トグルスイッチ３０では、第２のレバー３８は、第２の設定状態で、第１のレバー３７に収納されて、第１のレバー３７と一体化する。その他の点（例えば、形状など）については、レバー部３６は、レバー部１６と同様であるので、詳細な説明は省略する。
【００５３】
本実施例に係るトグルスイッチ３０では、シート部材３９は、第２の設定状態では、図１０Ｂに例示されるように、第２のレバー３８と共に第１のレバー３７に収納されるため、外部からは視認されないが、第１の設定状態では、図１０Ａに例示されるように、第１のレバー３７と第２のレバー３８の間で広がった状態となり、外部から容易に視認されることになる。
【００５４】
以上、本実施例に係るトグルスイッチ３０によれば、設定状態を切り替えるための第１のレバーとスイッチ本体に固定された第２のレバーの間にシート部材を設けることで、実施例１に係るトグルスイッチ１０と同様に、その設定状態をシート部材が視認できるか否かによって判断することが可能である。このため、設定状態を容易に且つ確実に確認することができる。
【００５５】
なお、本実施例に係るトグルスイッチ３０についても、実施例１に係るトグルスイッチ１０と同様に様々な変形が可能である。つまり、シート部材３９の収納方法、第１のレバー３７の回転範囲、第２のレバー３８の固定位置、スイッチの切替え方式などを変更してもよい。
【実施例３】
【００５６】
本実施例に係るとトグルスイッチは、３定位の各々に対応するすべての設定状態を容易に且つ確実に判断することができる３定位トグルスイッチである。
図１１Ａ、図１１Ｂ、及び図１１Ｃは、本実施例に係るトグルスイッチの断面図である。図１１Ａから図１１Ｃに例示されるトグルスイッチ５０は、スイッチ本体５１と、レバー部５６と、スイッチ外部と接続される端子（端子６２ａ、端子６２ｂ、端子６２ｃ）を含んでいる。図１１Ａ、図１１Ｂ、及び図１１Ｃは、それぞれ、異なる定位、つまり、異なる設定状態でのトグルスイッチ５０を示した図である。図１１Ａ（ａ）、図１１Ｂ（ａ）、及び図１１Ｃ（ａ）は、それぞれ、各設定状態におけるトグルスイッチ５０の上面図である。図１１Ａ（ｂ）、図１１Ｂ（ｂ）、及び図１１Ｃ（ｂ）は、それぞれ、図１１Ａ（ａ）に示されるＦＦ´断面、図１１Ｂ（ａ）に示されるＨＨ´断面、及び図１１Ｃ（ａ）に示されるＪＪ´断面における断面図である。図１１Ａ（ｃ）、図１１Ｂ（ｃ）、及び図１１Ｃ（ｃ）は、それぞれ、図１１Ａ（ａ）に示されるＧＧ´断面、図１１Ｂ（ａ）に示されるＩＩ´断面、及び図１１Ｃ（ａ）に示されるＫＫ´断面における断面図である。なお、本実施例では、図１１Ａ、図１１Ｂ、及び図１１Ｃの設定状態を、それぞれ、第１の設定状態、第２の設定状態、第３の設定状態と記す。また、本実施例では、基準平面Ｓは、スイッチ本体５１の上面５１ａに対して略垂直で、且つ、回転軸６０と平行な面である。また、本実施例では、レバーの傾きは、基準面Ｓを基準として、反時計廻りの方向をプラス、時計廻りの方向をマイナスとして定義する。
【００５７】
スイッチ本体５１は、受台５２を中心にバランスを取る可動接片５３と、可動接片５３に設けられた可動接点５４と、固定接点５５と、溝部（溝部６１、溝部６５）と、を含んでいる。
【００５８】
レバー部５６は、基準平面Ｓに対して−３０度から＋３０度までの範囲（以降、本実施例において、第１の範囲と記す。）を回転軸６０周りに回転して固定接点５５と可動接点５４との接触状態を変更する第１のレバー５７と、基準平面Ｓに対して−３０度から０度までの範囲（以降、本実施例において、第２の範囲と記す。）、つまり、第１のレバー５７が回転し得る範囲の一部の範囲を回転軸６０周りに回転する第２のレバー５８と、一端を第１のレバー５７に他端を第２のレバー５８に固定した折り畳み式のシート部材５９と、を含んでいる点については、実施例１に係るトグルスイッチ１０のレバー部１６と同様である。
【００５９】
レバー部５６は、さらに、基準平面Ｓに対して０度から３０度までの範囲（以降、本実施例において、第３の範囲と記す。）、つまり、第１のレバー５７が回転し得る範囲のうち第２のレバー５８が回転し得る範囲を除いた範囲を回転軸６０周りに回転する第３のレバー６３と、一端を第１のレバー５７に他端を第３のレバー６３に固定した折り畳み式のシート部材６４と、を含んでいる点で、実施例１に係るトグルスイッチ１０のレバー部１６と異なっている。
【００６０】
なお、第１のレバー５７は、後述するように、第２のレバー５８、シート部材５９（第１のシート部材）、第３のレバー６３、及びシート部材６４（第２のシート部材）を収納できるように構成されている。また、シート部材５９とシート部材６４は異なる色の部材により構成されている。
【００６１】
第２のレバー５８の回転範囲の制限は、第２のレバー５８に設けられた突起部５８ａと、スイッチ本体５１に形成された溝部６１とによって実現されている。また、第３のレバー６３の回転範囲の制限は、第３のレバー６３に設けられた突起部６３ａと、スイッチ本体５１に形成された溝部６５とによって実現されている。なお、回転制限の具体的な方法については、実施例１における回転の制限方法と同様であるため、詳細な説明は省略する。
【００６２】
第２の範囲では、第１のレバー５７は、第２のレバー５８及びシート部材５９を収納し第３のレバー６３を分離した状態で、第２のレバー５８と一体となって回転する。このため、第３の設定状態では、図１１Ｃ（ｂ）に例示されるようにシート部材５９は外部からは視認されず、図１１Ｃ（ｃ）に例示されるようにシート部材６４が外部から視認される。
【００６３】
一方で、第３の範囲では、第１のレバー５７は、第３のレバー６３及びシート部材６４を収納し第２のレバー５８を分離した状態で、第３のレバー６３と一体となって回転する。このため、第１の設定状態では、図１１Ａ（ｃ）に例示されるようにシート部材６４は外部からは視認されず、図１１Ａ（ｂ）に例示されるようにシート部材５９が外部から視認される。
【００６４】
また、第２の設定状態では、第１のレバー５７は、第２のレバー５８、シート部材５９、第３のレバー６３、及びシート部材６４を収納している。このため、図１１Ｂに例示されるように、シート部材５９とシート部材６４は、いずれも視認されない。
【００６５】
次に、本実施例に係るトグルスイッチ５０のレバー部５６の構成について、詳細に説明する。
図１２は、本実施例に係るトグルスイッチのレバー部の斜視図である。図１３Ａ、図１３Ｂ、及び図１３Ｃは、本実施例に係るトグルスイッチのレバー部の構成を説明するための図である。図１３Ａは、本実施例に係るトグルスイッチのレバー部の上面図である。図１３Ｂ（ａ）及び図１３Ｂ（ｂ）は、それぞれ、図１３Ａに示されるＬＬ´断面、ＭＭ´断面における、レバー部の断面図である。図１３Ｃ（ａ）から図１３Ｃ（ｆ）は、それぞれ、図１３Ａに示されるＮＮ´断面、ＰＰ´断面、ＱＱ´断面、ＲＲ´断面、ＳＳ´断面、ＴＴ´断面における、レバー部の断面図である。各断面図の斜線部は、第１のレバー５７の断面形状を示す。
【００６６】
図１３Ｃ（ａ）は、ＮＮ´断面における第１のレバーの断面形状を示している。図１３（ａ）に示す通り、第１のレバー５７の左側の断面形状は、凹面を下に向けた凹形状であり、凹面により形成される凹部によって第１のレバー５７に第２のレバー５８が収納できるようなスペースを設けている。一方、第１のレバー５７の右側の断面形状は、凹面を上に向けた凹形状であり、凹面により形成される凹部によって第１のレバー５７に第３のレバー６３が収納できるようなスペースを設けている。換言すると、第１のレバー５７の左側の断面形状は、なお、第１のレバー５７の右側の断面形状を、点Ｐｃを中心に１８０度回転させた形状である。実施例１に係る第１のレバー１７との比較で説明すると、実施例３における第１のレバー５７の断面形状は、実施例１における第１のレバー１７を２ケ横に並べて、一方の第１のレバー１７と他方の第１のレバー１７とを上下反対に配置したものの断面形状と同じ形状である。
【００６７】
なお、図１２から図１３Ｃでは、シート部材やシート収納部などシート部材に関連する構成の記載を省略している。図１３Ｃでは、さらに、第２のレバー５８及び第３のレバー６３の記載も省略している。
【００６８】
図１２は、トグルスイッチ５０を回転軸６０に垂直な面で２つに等分に分割した様子を示している。図１２に例示されるように、第１のレバー５７は、第２のレバー５８および第３のレバー６３を収納し、且つ、それらを反対方向に回転させることができるように、構成されている。
【００６９】
具体的には、第１のレバー５７には、回転軸６０を通すための軸穴５７ｃと、第２のレバー５８を収納するためのレバー収納部５７ｅと、第２のレバー５８を収納したときに突起部５８ａが収まるスリット５７ａと、第３のレバー６３を収納するためのレバー収納部５７ｈと、第３のレバー６３を収納したときに突起部６３ａが収まるスリット５７ｆと、が形成されている。また、第１のレバー５７は、一方の端部に、スイッチ本体５１内で可動接片５３と接触する先端部５７ｄを有している。さらに、第１のレバー５７は、第２のレバー５８を保持するための留め部材５７ｂと、第３のレバー６３を保持するための留め部材５７ｇを有している。
【００７０】
第２のレバー５８及び第３のレバー６３は、突起部（突起部５８ａ、突起部６３ａ）が片側にしか突出していない点で、実施例１に係るトグルスイッチ１０の第２のレバー１８と異なっている。軸穴（軸穴５８ｃ、軸穴６３ｃ）及び留め溝（留め溝５８ｂ、留め溝６３ｂ）が形成されている点については、実施例１に係るトグルスイッチ１０の第２のレバー１８と同様である。
【００７１】
なお、レバー収納部５７ｅとレバー収納部５７ｈの形状については、図１３Ａから図１３Ｃを参照することでより詳細に把握することができる。図１３Ａから図１３Ｃに示されるように、レバー収納部５７ｅとレバー収納部５７ｈは対称な形状を有していて、このような対称な形状により、トグルスイッチ５０では、レバー収納部５７ｅに収納される第２のレバー５８と、レバー収納部５７ｈに収納される第３のレバー６３とが反対方向に回転することが可能となっている。
【００７２】
以上、本実施例に係るトグルスイッチ５０によれば、第１のレバーと第２のレバーとの間と第１のレバーと第３のレバーとの間にそれぞれ異なる色のシート部材を設けることで、その設定状態を、シート部材が視認できるか否か、さらに、視認されるシート部材の色が何色であるか、によって判断することが可能である。このため、すべての設定状態を確実に識別した上で、設定状態を容易に且つ確実に確認することができる。
【００７３】
なお、本実施例では、シート部材の収納方法についての具体的な説明を省略したが、その方法は実施例１と同様である。また、本実施例では、第１のシート部材（シート部材５９）と第２のシート部材（シート部材６４）が異なる色の部材により構成されている例を示したが、本発明の構成は、特にこの構成に限定されるものではない。視認されているシート部材が第１のシート部材であるか第２のシート部材であるかを識別できればよい。また、回転軸についても本発明の形状に限定されるものではない。球状等の様に回転軸としての機能を有する形状であればよい。また、本実施例では、レバーの形状を角柱形状で表したが、角柱形状を呈するレバーは発明の内容の理解を容易にするための一例であり、レバーの形状はこれに限定されるものではない。レバーの形状は、円柱や、楕円柱、円錐等他の形状であってもよく、本発明の構成が可能な形状であれば任意の形状でよい。更に、本実施例に係るトグルスイッチ５０についても、実施例１に係るトグルスイッチ１０と同様に様々な変形が可能である。
【符号の説明】
【００７４】
１、１０、３０、５０、１００      トグルスイッチ
２、１１、３１、５１、１０１      スイッチ本体
２ａ、１１ａ、３１ａ、５１ａ      上面
３、１６、２３、３６、５６、１０６      レバー部
４、１７、２４、３７、５７      第１のレバー
５、１８、３８、５８      第２のレバー
６、１９、２５、３９、５９、６４      シート部材
７、２０、４０、６０、１０７      回転軸
８、２２ａ、２２ｂ、２２ｃ、４２ａ、４２ｂ、６２ａ、６２ｂ、６２ｃ、１０８ａ、１０８ｂ、１０８ｃ      端子
１２、３２、５２、１０２      受台
１３、３３、５３、１０３      可動接片
１４、３４、５４、１０４      可動接点
１５、３５、５５、１０５      固定接点
１７ａ、２４ａ、５７ａ、５７ｆ      スリット
１７ｂ、２４ｂ、５７ｂ、５７ｇ      留め部材
１７ｃ、１８ｃ、５７ｃ、５８ｃ、６３ｃ      軸穴
１７ｄ、２４ｄ、３７ｄ、５７ｄ      先端部
１７ｅ、２４ｅ、５７ｅ、５７ｈ      レバー収納部
１７ｆ、２４ｆ      シート収納部
１７ｇ、１８ｇ、２４ｇ      シート留め具
１８ａ、３８ａ、５８ａ、６３ａ      突起部
１８ｂ、５８ｂ、６３ｂ      留め溝
２１、６１、６５      溝部
２４ｈ      軸
２４ｋ      シート巻取部材
２４ｍ      バネ
６３      第３のレバー
【図１】
2012195236.tif 000003
【図２】
2012195236.tif 000004
【図３】
2012195236.tif 000005
【図４Ａ】
2012195236.tif 000006
【図４Ｂ】
2012195236.tif 000007
【図４Ｃ】
2012195236.tif 000008
【図５】
2012195236.tif 000009
【図６】
2012195236.tif 000010
【図７Ａ】
2012195236.tif 000011
【図７Ｂ】
2012195236.tif 000012
【図８】
2012195236.tif 000013
【図９】
2012195236.tif 000014
【図１０Ａ】
2012195236.tif 000015
【図１０Ｂ】
2012195236.tif 000016
【図１１Ａ】
2012195236.tif 000017
【図１１Ｂ】
2012195236.tif 000018
【図１１Ｃ】
2012195236.tif 000019
【図１２】
2012195236.tif 000020
【図１３Ａ】
2012195236.tif 000021
【図１３Ｂ】
2012195236.tif 000022
【図１３Ｃ】
2012195236.tif 000023
【図１４Ａ】
2012195236.tif 000024
【図１４Ｂ】
2012195236.tif 000025
【図１４Ｃ】
2012195236.tif 000026